(57)【特許請求の範囲】
【請求項１】
デュアルコネクティビティによりマスタ基地局とセカンダリ基地局と同時に通信する送受信部と、
前記マスタ基地局のためのＲＬＣ（Ｒａｄｉｏ  Ｌｉｎｋ  Ｃｏｎｔｒｏｌ）レイヤと前記セカンダリ基地局のためのＲＬＣレイヤとを有するＲＬＣレイヤ処理部と、
前記マスタ基地局のためのＲＬＣレイヤと前記セカンダリ基地局のためのＲＬＣレイヤとの間でデータを送受信するＰＤＣＰ（Ｐａｃｋｅｔ  Ｄａｔａ  Ｃｏｎｖｅｒｇｅｎｃｅ  Ｐｒｏｔｏｃｏｌ）レイヤを有するＰＤＣＰレイヤ処理部と、
を有するユーザ装置であって、
前記ＲＬＣレイヤ処理部は、前記セカンダリ基地局に対して設定されているスプリットベアラを削除する際、前記セカンダリ基地局のためのＲＬＣレイヤに対して再確立処理を実行し、前記再確立処理の実行後に前記スプリットベアラを解放するユーザ装置。
【請求項２】
前記ＲＬＣレイヤ処理部は、前記再確立処理において前記セカンダリ基地局のためのＲＬＣレイヤに滞留するデータパケットを前記ＰＤＣＰレイヤ処理部に送信する、請求項１記載のユーザ装置。
【請求項３】
前記滞留するデータパケットは、前記セカンダリ基地局のためのＲＬＣレイヤにおけるリオーダリング待ちのＲＬＣパケットデータユニットであり、
前記ＲＬＣレイヤ処理部は、前記リオーダリング待ちのＲＬＣパケットデータユニットからＲＬＣサービスデータユニットを構成し、前記ＰＤＣＰレイヤ処理部に送信する、請求項２記載のユーザ装置。
【請求項４】
前記スプリットベアラの解放がＥＰＳ（Ｅｖｏｌｖｅｄ  Ｐａｃｋｅｔ  Ｓｙｓｔｅｍ）ベアラ毎の削除である場合、前記ＲＬＣレイヤ処理部は、前記セカンダリ基地局のためのＲＬＣレイヤに対して再確立処理を実行することなく、指定されたＥＰＳベアラを削除する、請求項１乃至３何れか一項記載のユーザ装置。
【請求項５】
前記ＰＤＣＰレイヤ処理部は、データパケットのアウトオブシーケンスの検出に応答して起動されるリオーダリングタイマを有し、
前記リオーダリングタイマが満了すると、前記ＰＤＣＰレイヤ処理部は、前記ＲＬＣレイヤ処理部から受信したリオーダリング待ちのデータパケットを上位レイヤに送信する、請求項１乃至４何れか一項記載のユーザ装置。
【請求項６】
前記ＰＤＣＰレイヤ処理部は、前記ＲＬＣレイヤ処理部から受信したリオーダリング待ちのデータパケットが前記マスタ基地局のためのＲＬＣレイヤに対する再確立処理に伴い送信されたものであるか判断し、前記判断の結果に応じて前記リオーダリングタイマを制御する、請求項５記載のユーザ装置。
【請求項７】
前記リオーダリング待ちのデータパケットが前記マスタ基地局のためのＲＬＣレイヤに対する再確立処理に伴い送信されたものでない場合、前記ＰＤＣＰレイヤ処理部は、前記リオーダリングタイマが満了すると、前記ＲＬＣレイヤ処理部から受信したリオーダリング待ちのデータパケットを上位レイヤに送信する、請求項６記載のユーザ装置。
【請求項８】
前記リオーダリング待ちのデータパケットが前記マスタ基地局のためのＲＬＣレイヤに対する再確立処理に伴い送信されたものである場合、前記ＰＤＣＰレイヤ処理部は、ハンドオーバ時又は再接続時におけるリオーダリング処理を実行する、請求項６又は７記載のユーザ装置。
【請求項９】
前記マスタ基地局と前記セカンダリ基地局とに対して設定されているスプリットベアラにおいてアップリンクデータパケットの送信方向を変更する際、前記ＲＬＣレイヤ処理部は、前記マスタ基地局のためのＲＬＣレイヤと前記セカンダリ基地局のためのＲＬＣレイヤとに対して再確立処理を実行し、前記ＰＤＣＰレイヤ処理部は、前記ＰＤＣＰレイヤに対して再確立処理を実行する、請求項１乃至８何れか一項記載のユーザ装置。
【請求項１０】
前記再確立処理は、前記送信方向の変更後にアップリンクデータパケットの送信を停止し、前記送信停止されたアップリンクデータパケットを前記送信方向の変更先の基地局に送信するよう前記ＲＬＣレイヤと前記ＰＤＣＰレイヤとを設定する、請求項９記載のユーザ装置。
【発明の詳細な説明】
【技術分野】
【０００１】
本発明は、無線通信システムに関する。
【背景技術】
【０００２】
現在、ＬＴＥシステムの次世代の通信規格として、ＬＴＥ−Ａｄｖａｎｃｅｄの高機能化が進められている。ＬＴＥ−Ａｄｖａｎｃｅｄシステムでは、ＬＴＥシステムとのバックワードコンパチビリティを確保しつつ、ＬＴＥシステムを上回るスループットを実現するため、キャリアアグリゲーション（Ｃａｒｒｉｅｒ  Ａｇｇｒｅｇａｔｉｏｎ：ＣＡ）技術が導入される。キャリアアグリゲーションでは、ＬＴＥシステムによりサポートされている２０ＭＨｚの最大帯域幅を有するコンポーネントキャリア（Ｃｏｍｐｏｎｅｎｔ  Ｃａｒｒｉｅｒ：ＣＣ）が基本コンポーネントとして利用され、これら複数のコンポーネントキャリアを同時に用いることによって、より広帯域な通信を実現することが図られている。
【０００３】
キャリアアグリゲーションでは、ユーザ装置（Ｕｓｅｒ  Ｅｑｕｉｐｍｅｎｔ：ＵＥ）は、複数のコンポーネントキャリアを同時に用いて基地局（ｅｖｏｌｖｅｄ  ＮｏｄｅＢ：ｅＮＢ）と通信することが可能である。キャリアアグリゲーションでは、ユーザ装置との接続性を担保する信頼性の高いプライマリセル（Ｐｒｉｍａｒｙ  Ｃｅｌｌ：ＰＣｅｌｌ）と、プライマリセルに接続中のユーザ装置に追加的に設定されるセカンダリセル（Ｓｅｃｏｎｄａｒｙ  Ｃｅｌｌ：ＳＣｅｌｌ）又はセカンダリセルグループ（ＳＣＧ）とが設定される。
【０００４】
プライマリセルは、ＬＴＥシステムのサービングセルと同様のセルであり、ユーザ装置とネットワークとの間の接続性を担保するためのセルである。他方、セカンダリセル又はセカンダリセルグループは、プライマリセルに追加されてユーザ装置に設定されるセル又はセルグループである。
【０００５】
ＬＴＥ  Ｒｅｌｅａｓｅ  １０（Ｒｅｌ−１０）までのキャリアアグリゲーションでは、図１の左図に示されるように、ユーザ装置が同一の基地局により提供される複数のコンポーネントキャリアを用いて同時通信することが規定されている。一方、Ｒｅｌ−１２では、Ｒｅｌ−１０のキャリアアグリゲーションがさらに拡張され、図１の右図に示されるように、ユーザ装置が複数の基地局により提供される複数のコンポーネントキャリアを用いて同時通信するデュアルコネクティビティ（Ｄｕａｌ  Ｃｏｎｎｅｃｔｉｖｉｔｙ：ＤＣ）が検討されている。例えば、全てのコンポーネントキャリアを単一の基地局内に収容できない場合、Ｒｅｌ−１０と同程度のスループットを実現するためには、デュアルコネクティビティが効果的に利用されると考えられる。
【０００６】
このようなデュアルコネクティビティにおいて、スプリットベアラ（Ｓｐｌｉｔ  Ｂｅａｒｅｒ）が設定される。マスタ基地局又はマクロ基地局（ＭｅＮＢ）がベアラを分配するアンカーノードとして利用される場合、図２に示されるように、マスタ基地局は、Ｓ−ＧＷ（Ｓｅｒｖｉｎｇ  Ｇａｔｅｗａｙ）から受信したダウンリンクパケットを、自らのセルを介しユーザ装置に送信するパケットとセカンダリ基地局（ＳｅＮＢ）を経由してユーザ装置に送信するパケットとに分配する。マスタ基地局をアンカーノードとしたスプリットベアラが設定される場合、図３に示されるように、ユーザ装置は、マスタ基地局のための物理レイヤ（ＰＨＹ）、ＭＡＣ（Ｍｅｄｉｕｍ  Ａｃｃｅｓｓ  Ｃｏｎｔｒｏｌ）レイヤ（ｍ−ＭＡＣ）及びＲＬＣ（Ｒａｄｉｏ  Ｌｉｎｋ  Ｃｏｎｔｒｏｌ）レイヤ（ｍ−ＲＬＣ）と、セカンダリ基地局のためのＰＨＹレイヤ、ｓ−ＭＡＣレイヤ及びｓ−ＲＬＣレイヤと、ｍ−ＲＬＣレイヤ及びｓ−ＲＬＣレイヤに接続されるＰＤＣＰレイヤと有する。マスタ基地局から受信したパケットとセカンダリ基地局から受信したパケットとは、ＰＤＣＰレイヤにおいてリオーダリングされ、上位レイヤに送出される。
【０００７】
また、ＬＴＥ規格によると、ハンドオーバや再接続時において、ＲＬＣレイヤとＰＤＣＰレイヤとに対して再確立処理（ｒｅ−ｅｓｔａｂｌｉｓｈｍｅｎｔ）が実行される。ＲＬＣレイヤの再確立処理では、ＲＬＣレイヤの送信側は、送信対象の全てのＲＬＣ  ＰＤＵ（Ｐａｃｋｅｔ  Ｄａｔａ  Ｕｎｉｔ）を破棄する一方、ＲＬＣレイヤの受信側は、受信したＲＬＣ  ＰＤＵから可能な限りＲＬＣ  ＳＤＵ（Ｓｅｒｖｉｃｅ  Ｄａｔａ  Ｕｎｉｔ）を構成（ｒｅ−ａｓｓｅｍｂｌｅ）し、構成したＲＬＣ  ＳＤＵをＰＤＣＰレイヤに送出する。また、ＲＬＣレイヤで用いられる各種タイマが停止及びリセットされ、各種変数が全て初期化される。
【０００８】
他方、ＰＤＣＰレイヤの再確立処理では、ＰＤＣＰレイヤの送信側は、ＲＬＣレイヤで送達確認（Ａｃｋｎｏｗｌｅｄｇｅｍｅｎｔ：ＡＣＫ）を受信していないＰＤＣＰ  ＰＤＵを再送する一方、ＰＤＣＰレイヤの受信側は、ＲＬＣレイヤの再確立処理により受信したＲＬＣ  ＳＤＵと、再確立処理後に新規に送信されたＲＬＣ  ＳＤＵとをリオーダリングする。ここで、ＰＤＣＰレイヤは、ＲＬＣレイヤの再確立処理により受信したＲＬＣ  ＳＤＵと新規に送信されたＲＬＣ  ＳＤＵとに対して、リオーダリングのための受信ウィンドウによる異なる制御を行う。すなわち、ＲＬＣレイヤの再確立処理により受信したＲＬＣ  ＳＤＵに対して、ＰＤＣＰレイヤは、受信したパケットのＰＤＣＰシーケンス番号が不連続である場合には受信ウィンドウを更新しない一方、新規に送信されたＲＬＣ  ＳＤＵに対しては、ＰＤＣＰレイヤは、受信したパケットのＰＤＣＰシーケンス番号が不連続であった場合でも受信ウィンドウを更新する。
【先行技術文献】
【非特許文献】
【０００９】
【非特許文献１】３ＧＰＰ  Ｒ２−１３１７８２
【発明の概要】
【発明が解決しようとする課題】
【００１０】
デュアルコネクティビティにおいてスプリットベアラを削除する場合、上述したハンドオーバや再接続時の処理は現状は実行されない。例えば、図４に示されるように、スプリットベアラが削除されると、ダウンリンク通信において、ｓ−ＲＬＣレイヤによりＲＬＣ  ＰＤＵ＃０が受信されないことによってリオーダリング待機中であったＲＬＣ  ＰＤＵ＃１〜＃４が全て破棄されることになる。このため、スプリットベアラの解放後、マスタ基地局は、受信待ちのＲＬＣ  ＰＤＵ＃０だけでなく、ユーザ装置のｓ−ＲＬＣレイヤにおいて受信されたＲＬＣ  ＰＤＵ＃１〜＃４もまた再送する必要があり、スループットが低下する。なお、スプリットベアラではマスタ基地局とセカンダリ基地局との双方からダウンリンクパケットを送信できるが、説明の簡単化のため、図４ではセカンダリ基地局のみからパケットを送信したケースを示している。
【００１１】
また、スプリットベアラでは、ユーザ装置からのアップリンク通信は、ＲＲＣシグナリングによってマスタ基地局への送信とセカンダリ基地局への送信との２つの送信方向を切り替えながら行われる。このようなアップリンク送信方向の切替時、現状ではＰＤＣＰレイヤとＲＬＣレイヤとに対して再確立処理は実行されない。このため、図５に示されるように、例えば、アップリンク通信においてセカンダリ基地局に送信されるよう振り分けられたＰＤＣＰ  ＰＤＵ＃０〜＃３は、セカンダリ基地局からマスタ基地局へのアップリンク送信方向の変更後も、依然としてセカンダリ基地局に送信されることになる。一方、セカンダリ基地局は、当該アップリンク送信変更指示後はユーザ装置からの受信を止めている可能性があり、ＰＤＣＰ  ＰＤＵ＃０〜＃３から生成されたＲＬＣ  ＰＤＵ＃０〜＃３を不要に送信することになる。なお、説明の簡単化のため、図５ではＰＤＣＰ  ＰＤＵ：ＲＬＣ  ＰＤＵ＝１：１として設定されている。ユーザ装置は、ＲＬＣ  ＰＤＵ＃４以降のパケットを変更後のマスタ基地局に送信するが、セカンダリ基地局がＲＬＣ  ＰＤＵ＃０〜＃３を受信しなかった場合、マスタ基地局は、ＲＬＣ  ＰＤＵ＃０〜＃３より先にＲＬＣ  ＰＤＵ＃４を受信することになる。再確立処理が実行されないため、マスタ基地局のＰＤＣＰレイヤは、以降に到来するＲＬＣ  ＰＤＵ＃０〜＃３を受信ウィンドウの範囲外として破棄することになる。
【００１２】
上述した問題点を鑑み、本発明の課題は、スプリットベアラ削除時におけるダウンリンクパケットの重複送信によるスループットの低下を回避するための技術を提供することである。
【課題を解決するための手段】
【００１３】
上記課題を解決するため、本発明の一特徴は、デュアルコネクティビティによりマスタ基地局とセカンダリ基地局と同時に通信する送受信部と、前記マスタ基地局のためのＲＬＣ（Ｒａｄｉｏ  Ｌｉｎｋ  Ｃｏｎｔｒｏｌ）レイヤと前記セカンダリ基地局のためのＲＬＣレイヤとを有するＲＬＣレイヤ処理部と、前記マスタ基地局のためのＲＬＣレイヤと前記セカンダリ基地局のためのＲＬＣレイヤとの間でデータを送受信するＰＤＣＰ（Ｐａｃｋｅｔ  Ｄａｔａ  Ｃｏｎｖｅｒｇｅｎｃｅ  Ｐｒｏｔｏｃｏｌ）レイヤを有するＰＤＣＰレイヤ処理部とを有するユーザ装置であって、前記ＲＬＣレイヤ処理部は、前記セカンダリ基地局に対して設定されているスプリットベアラを削除する際、前記セカンダリ基地局のためのＲＬＣレイヤに対して再確立処理を実行し、前記再確立処理の実行後に前記スプリットベアラを解放するユーザ装置に関する。
【発明の効果】
【００１４】
本発明によると、スプリットベアラ削除時におけるダウンリンクパケットの重複送信によるスループットの低下を回避することができる。
【図面の簡単な説明】
【００１５】
【図１】図１は、キャリアアグリゲーションを示す概略図である。
【図２】図２は、マクロ基地局をアンカーノードとするスプリットベアラを示す概略図である。
【図３】図３は、スプリットベアラ設定時のダウンリンク通信のためのレイヤ構成を示す図である。
【図４】図４は、従来のスプリットベアラ削除時の処理を示す概略図である。
【図５】図５は、従来のアップリンク送信方向変更時の処理を示す概略図である。
【図６】図６は、本発明の一実施例による無線通信システムを示す概略図である。
【図７】図７は、本発明の一実施例によるユーザ装置の構成を示すブロック図である。
【図８】図８は、本発明の第１実施例によるスプリットベアラ削除時の処理を示す概略図である。
【図９】図９は、従来のＲＬＣレイヤ再確立処理時のＰＤＣＰレイヤにおけるリオーダリング処理を示す概略図である。
【図１０】図１０は、本発明の第１実施例によるＲＬＣレイヤ再確立処理時のＰＤＣＰレイヤにおけるリオーダリング処理を示す概略図である。
【図１１】図１０は、本発明の第１実施例によるＲＬＣレイヤ処理部におけるスプリットベアラ削除処理を示すフロー図である。
【図１２】図１２は、本発明の第１実施例によるＰＤＣＰレイヤ処理部におけるスプリットベアラ削除処理を示すフロー図である。
【図１３】図１３は、本発明の第２実施例によるユーザ装置におけるアップリンク送信方向変更処理を示すフロー図である。
【図１４】図１４は、本発明の第２実施例による基地局の構成を示すブロック図である。
【発明を実施するための形態】
【００１６】
以下、図面に基づいて本発明の実施の形態を説明する。
【００１７】
後述される実施例では、デュアルコネクティビティをサポートするユーザ装置及び基地局が開示される。後述される実施例を概略すると、スプリットベアラのダウンリンク通信において、セカンダリ基地局に対して設定されているスプリットベアラを削除する際、ユーザ装置は、ｓ−ＲＬＣレイヤに対して再確立処理を実行し、ｓ−ＲＬＣレイヤは、リオーダリング待ちのＲＬＣ  ＰＤＵを破棄せず、可能な限りＲＬＣ  ＳＤＵを構成し、ＰＤＣＰレイヤに送信する。さらに、ユーザ装置は、ＰＤＣＰレイヤに対して再確立処理を実行し、ＰＤＣＰレイヤは、リオーダリングタイマを利用して、リオーダリングタイマが満了するまでに受信したＲＬＣ  ＳＤＵ（ＰＤＣＰ  ＰＤＵ）のアウト・オブ・シーケンスが解消しなくても、リオーダリング待ちのＰＤＣＰ  ＰＤＵを上位レイヤに送出する。これにより、欠落したＲＬＣ  ＰＤＵが破棄などによってユーザ装置に送信されない場合であっても、リオーダリング待ちのＰＤＣＰ  ＰＤＵが上位レイヤに送信できなくなる事態を回避することが可能になる。
【００１８】
また他の実施例では、スプリットベアラのアップリンク通信において、ユーザ装置は、アップリンクデータパケットの送信方向を変更する際、ＲＬＣレイヤとＰＤＣＰレイヤとに対して再確立処理を実行する。これにより、ユーザ装置は、変更前の送信方向に割り振られたデータパケットの送信を停止し、未送信のデータパケットを変更後の基地局にイン・シーケンスに送信することが可能になる。
【００１９】
図６を参照して、本発明の一実施例による無線通信システムを説明する。図６は、本発明の一実施例による無線通信システムを示す概略図である。
【００２０】
図６に示されるように、無線通信システム１０は、ユーザ装置１００及び基地局２００Ａ，２００Ｂを有する。無線通信システム１０は、ユーザ装置１００が複数の基地局２００Ａ，２００Ｂにより提供されるコンポーネントキャリアＣＣ＃１，ＣＣ＃２を用いて同時通信するデュアルコネクティビティをサポートし、図示されるように、ユーザ装置１００は、デュアルコネクティビティ機能を利用して、マスタ基地局（ＭｅＮＢ）２００Ａとセカンダリ基地局（ＳｅＮＢ）２００Ｂとの間で通信する。図示された実施例では、２つの基地局２００Ａ，２００Ｂしか示されていないが、一般には、無線通信システム１０のサービスエリアをカバーするよう多数の基地局２００が配置される。
【００２１】
ユーザ装置１００は、複数の基地局２００Ａ，２００Ｂと同時通信するデュアルコネクティビティ機能を有する。典型的には、ユーザ装置１００は、図示されるように、スマートフォン、携帯電話、タブレット、モバイルルータ、ウェアラブル端末などの無線通信機能を備えた何れか適切な情報処理装置であってもよい。ユーザ装置１００は、プロセッサなどのＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）やフラッシュメモリなどのメモリ装置、基地局２００Ａ，２００Ｂとの間で無線信号を送受信するための無線通信装置などから構成される。例えば、後述されるユーザ装置１００の各機能及び処理は、メモリ装置に格納されているデータやプログラムをＣＰＵが処理又は実行することによって実現されてもよい。しかしながら、ユーザ装置１００は、上述したハードウェア構成に限定されず、後述する処理の１以上を実現する回路などにより構成されてもよい。
【００２２】
基地局２００Ａ，２００Ｂ（以降、基地局２００として総称されてもよい）は、ユーザ装置１００と無線接続することによって、コアネットワーク（図示せず）上に通信接続された上位局やサーバなどのネットワーク装置から受信したダウンリンク（ＤＬ）パケットをユーザ装置１００に送信すると共に、ユーザ装置１００から受信したアップリンク（ＵＬ）パケットをネットワーク装置に送信する。図示された実施例では、基地局２００Ａがマスタ基地局（ＭｅＮＢ）又はプライマリ基地局として機能し、基地局２００Ｂがセカンダリ基地局（ＳｅＮＢ）として機能する。デュアルコネクティビティでは、マスタ基地局２００Ａが、ユーザ装置１００と基地局２００Ａ，２００Ｂとの間のデュアルコネクティビティによる同時通信を制御すると共に、上位のコアネットワーク（図示せず）との間の通信を制御する。基地局２００は、典型的には、ユーザ装置１００との間で無線信号を送受信するためのアンテナ、隣接する基地局２００と通信するための通信インタフェース、ユーザ装置１００と隣接する基地局２００との間の送受信信号を処理するためのプロセッサや回路などのハードウェアリソースにより構成される。後述される基地局２００の各機能及び処理は、メモリ装置に格納されているデータやプログラムをプロセッサが処理又は実行することによって実現されてもよい。しかしながら、基地局２００は、上述したハードウェア構成に限定されず、他の何れか適切なハードウェア構成を有してもよい。
【００２３】
次に、図７を参照して、本発明の一実施例によるユーザ装置の構成を説明する。図７は、本発明の一実施例によるユーザ装置の構成を示すブロック図である。
【００２４】
図７に示されるように、ユーザ装置１００は、送受信部１１０、ＲＬＣレイヤ処理部１２０及びＰＤＣＰレイヤ処理部１３０を有する。
【００２５】
送受信部１１０は、デュアルコネクティビティによりマスタ基地局２００Ａとセカンダリ基地局２００Ｂと同時に通信する。具体的には、送受信部１１０は、マスタ基地局２００Ａ及びセカンダリ基地局２００Ｂとの間でアップリンク／ダウンリンク制御チャネルやアップリンク／ダウンリンクデータチャネルなどの各種無線チャネルを送受信する。
【００２６】
ＲＬＣレイヤ処理部１２０は、マスタ基地局２００ＡのためのＲＬＣ（ｍ−ＲＬＣ）レイヤ１２１とセカンダリ基地局２００ＢのためのＲＬＣ（ｓ−ＲＬＣ）レイヤとを有する。スプリットベアラによるダウンリンク通信では、ｍ−ＲＬＣレイヤ１２１は、マスタ基地局２００Ａから受信したＲＬＣ  ＰＤＵからＲＬＣ  ＳＤＵを構成し、ＰＤＣＰレイヤ処理部１３０に送信する。他方、ｓ−ＲＬＣレイヤ１２２は、セカンダリ基地局２００Ｂから受信したパケット（ＲＬＣ  ＰＤＵ）からＲＬＣ  ＳＤＵを構成し、ＰＤＣＰレイヤ処理部１３０に送信する。また、スプリットベアラによるアップリンク通信では、ｍ−ＲＬＣレイヤ１２１は、ＰＤＣＰレイヤ処理部１３０から受信したＰＤＣＰ  ＰＤＵからＲＬＣ  ＰＤＵを構成し、下位レイヤ（図示せず）を介しマスタ基地局２００Ａに送信する。他方、ｓ−ＲＬＣレイヤ１２２は、ＰＤＣＰレイヤ処理部１３０から受信したパケットＰＤＣＰ  ＰＤＵからＲＬＣ  ＰＤＵを構成し、下位レイヤ（図示せず）を介しセカンダリ基地局２００Ｂに送信する。
【００２７】
ＰＤＣＰレイヤ処理部１３０は、マスタ基地局２００Ａのためのｍ−ＲＬＣレイヤ１２１とセカンダリ基地局２００Ｂのためのｓ−ＲＬＣレイヤ１２２との間でデータを送受信するＰＤＣＰレイヤ１３１を有する。スプリットベアラによるダウンリンク通信では、ＰＤＣＰレイヤ１３１は、ｍ−ＲＬＣレイヤ１２１とｓ−ＲＬＣレイヤ１２２とからＲＬＣ  ＳＤＵを受信し、各パケットのシーケンス番号（ＳＮ）に基づき受信したパケットをリオーダリングして上位レイヤ（図示せず）に送信する。リオーダリング処理において、ＰＤＣＰレイヤ処理部１３０は、受信ウィンドウを利用し、ＲＬＣレイヤから再確立処理により受信したパケットについては、シーケンス番号が不連続であるときには受信ウィンドウを更新せず、他方、再確立処理でなく新規に送信されたパケットについては、シーケンス番号が不連続であっても送信側の基地局２００Ａ又は２００Ｂにおいて当該パケットが破棄されたと判断し、受信ウィンドウを更新する。また、スプリットベアラによるアップリンク通信では、ＰＤＣＰレイヤ１３１は、送信対象のＰＤＣＰ  ＰＤＵをマスタ基地局２００Ａに送信するパケットとセカンダリ基地局２００Ｂに送信するパケットとに分配し、分配したパケットをｍ−ＲＬＣレイヤ１２１とｓ−ＲＬＣレイヤ１２２とに送信する。
【００２８】
次に、図８〜１２を参照して、本発明の第１実施例によるスプリットベアラ削除処理を説明する。図４を参照して上述したように、従来のスプリットベアラ削除時の処理では、削除前にｓ−ＲＬＣレイヤ１２２におけるリオーダリング待ちのパケットは全て破棄され、セカンダリ基地局２００Ｂに対するスプリットベアラの削除後、マスタ基地局２００Ａは、破棄されたパケットを再送する必要があった。本発明の第１実施例によると、図８に示されるように、ＲＬＣレイヤ処理部１３０は、スプリットベアラの削除前に、ｓ−ＲＬＣレイヤ１２２のリオーダリング待ちのパケット（ＲＬＣ−ＰＤＵ）から可能な限りＲＬＣ  ＳＤＵを構成し、ＰＤＣＰレイヤ処理部１３０に送信する。これにより、セカンダリ基地局２００Ｂに対するスプリットベアラの削除後、マスタ基地局２００Ａは、受信待ちのパケットのみを再送しさえすればよく、スループットの低下を回避することが可能になる。
【００２９】
第１実施例では、ＲＬＣレイヤ処理部１２０は、セカンダリ基地局２００Ｂに対して設定されているスプリットベアラを削除する際、セカンダリ基地局２００Ｂのためのｓ−ＲＬＣレイヤ１２２に対して再確立処理を実行し、再確立処理の実行後に当該スプリットベアラを解放する。例えば、ＬＴＥ規格では、マスタ基地局２００Ａ又はセカンダリ基地局２００Ｂからスプリットベアラの削除指示を受信すると、ＲＬＣレイヤ処理部１２０は、セカンダリセルグループ（ＳＣＧ）に設定されるｓ−ＲＬＣレイヤ１２２に対してｒｅ−ｅｓｔａｂｌｉｓｈｍｅｎｔを実行し、その後にスプリットベアラを解放する。
【００３０】
一実施例では、ＲＬＣレイヤ処理部１２０は、再確立処理においてセカンダリ基地局２００Ｂ又はＳＣＧのためのｓ−ＲＬＣレイヤ１２２に滞留するデータパケットをＰＤＣＰレイヤ処理部１３０に送信してもよい。例えば、当該滞留するデータパケットは、セカンダリ基地局２００Ｂ又はＳＣＧのためのｓ−ＲＬＣレイヤ１２２におけるリオーダリング待ちのＲＬＣパケットデータユニット（ＲＬＣ  ＰＤＵ）であり、ＲＬＣレイヤ処理部１２０は、当該リオーダリング待ちのＲＬＣ  ＰＤＵからＲＬＣサービスデータユニット（ＲＬＣ  ＳＤＵ）を構成し、ＰＤＣＰレイヤ処理部１３０に送信してもよい。当該リオーダリング待ちのＲＬＣパケットデータユニットからＲＬＣサービスデータユニット（ＲＬＣ  ＳＤＵ）を構成する際、ＲＬＣレイヤ処理部１２０は、ハンドオーバや再接続時の再確立処理と同様に、リオーダリング待ちのＲＬＣ  ＰＤＵから可能な限りＲＬＣ  ＳＤＵを構成（ｒｅ−ａｓｓｅｍｂｌｅ）し、構成したＲＬＣ  ＳＤＵをＰＤＣＰレイヤ処理部１３０に送出する。
【００３１】
また、一実施例では、スプリットベアラの解放がＥＰＳ（Ｅｖｏｌｖｅｄ  Ｐａｃｋｅｔ  Ｓｙｓｔｅｍ）ベアラ毎の削除である場合、ＲＬＣレイヤ処理部１２０は、セカンダリ基地局２００Ｂ又はＳＣＧのためのｓ−ＲＬＣレイヤ１２２に対して再確立処理を実行することなく、指定されたＥＰＳベアラを削除してもよい。すなわち、ＬＴＥ規格では、スプリットベアラの解放がＥＰＳベアラ毎の削除である場合、ＲＬＣレイヤ処理部１２０は、セカンダリ基地局２００Ｂ又はＳＣＧのためのｓ−ＲＬＣレイヤ１２２に対してｒｅ−ｅｓｔａｂｌｉｓｈｍｅｎｔを実行せず、リオーダリング待ちのＲＬＣ  ＰＤＵからＲＬＣ  ＳＤＵを構成してＰＤＣＰレイヤ処理部１３０に送信しなくてもよい。
【００３２】
上述したように、ＲＬＣレイヤ処理部１２０は、スプリットベアラを削除する際にｓ−ＲＬＣレイヤ１２２に対して再確立処理を実行し、リオーダリング待ちのＲＬＣ  ＰＤＵを破棄することなく、当該ＲＬＣ  ＰＤＵから可能な限りＲＬＣ  ＳＤＵを構成する。このとき、従来のＰＤＣＰレイヤは、下位レイヤの動作に応じて受信したＰＤＣＰ  ＰＤＵの処理を変更し、例えば、欠落したパケットをリオーダリング待ちとするか、又は破棄するなど異なる動作を行っていた。上述したようなｓ−ＲＬＣレイヤ１２２に対して再確立処理が実行される場合、従来と同様にリオーダリングすると不要なリオーダリング待ちが発生することになる。例えば、図９に示されるように、ＰＤＣＰレイヤ処理部１３０がｓ−ＲＬＣレイヤ１２２から再構成されたＲＬＣ  ＳＤＵ＃１〜＃４を受信した場合、ＰＤＣＰレイヤ処理部１３０は、リオーダリングのためマスタ基地局２００Ａから再送されるＲＬＣ  ＳＤＵ＃０の受信を待機することになる。マスタ基地局２００ＡがＲＬＣ  ＳＤＵ＃０を破棄した場合、ＰＤＣＰレイヤ処理部１３０は、ＲＬＣ  ＳＤＵ＃０を受信することができず、リオーダリング待ちのＲＬＣ  ＳＤＵ＃１〜＃４を上位レイヤに送出することができなくなる。このため、ｓ−ＲＬＣレイヤ１２２に対して再確立処理を実行した場合も、ＰＤＣＰレイヤ処理部１３０が従来のようにリオーダリングを実行することは、パフォーマンスの観点上望ましくない。
【００３３】
このため、本発明の第１実施例によると、ＰＤＣＰレイヤ処理部１３０は、データパケットのアウトオブシーケンスの検出に応答して起動されるリオーダリングタイマを有し、ｓ−ＲＬＣレイヤ１２２に対して再確立処理が実行されたか否かに関わらず、当該リオーダリングタイマを利用してＲＬＣレイヤ処理部１２０から受信したパケットのリオーダリングを制御する。具体的には、ＰＤＣＰレイヤ処理部１３０は、リオーダリングタイマが満了すると、ＲＬＣレイヤ処理部１２０から受信したリオーダリング待ちのデータパケットを上位レイヤに送信する。例えば、図１０に示されるように、ＰＤＣＰレイヤ処理部１３０がｓ−ＲＬＣレイヤ１２２からＲＬＣ  ＳＤＵ＃１〜＃４を受信した場合、ＰＤＣＰレイヤ処理部１３０は、ＲＬＣ  ＳＤＵ＃０の欠落を検出し、リオーダリングタイマを起動する。リオーダリングタイマの満了までにＲＬＣ  ＳＤＵ＃０が受信できなかった場合、ＰＤＣＰレイヤ処理部１３０は、リオーダリング待ちのＲＬＣ  ＳＤＵ＃１〜＃４を上位レイヤに送出する。これにより、マスタ基地局２００ＡがＲＬＣ  ＳＤＵ＃０を破棄した場合であっても、ＰＤＣＰレイヤ処理部１３０は、リオーダリングタイマが満了すると、ＲＬＣ  ＳＤＵ＃１〜＃４を上位レイヤに送出することが可能になる。
【００３４】
一実施例では、ＰＤＣＰレイヤ処理部１３０は、ＲＬＣレイヤ処理部１２０から受信したリオーダリング待ちのデータパケットがマスタ基地局２００Ａのためのｍ−ＲＬＣレイヤ１２１に対する再確立処理に伴って送信されたものであるか判断し、当該判断の結果に応じてリオーダリングタイマを制御してもよい。例えば、リオーダリング待ちのデータパケットがマスタ基地局２００Ａのためのｍ−ＲＬＣレイヤ１２１に対する再確立処理に伴って送信されたものでない場合、換言すると、ｓ−ＲＬＣレイヤ１２２に対して再確立処理が実行されたケースや再確立処理が実行されない通常のケースでは、ＰＤＣＰレイヤ処理部１３０は、リオーダリングタイマが満了すると、ＲＬＣレイヤ処理部１２０から受信したリオーダリング待ちのデータパケットを上位レイヤに送信する。
【００３５】
他方、リオーダリング待ちのデータパケットがマスタ基地局２００Ａのためのｍ−ＲＬＣレイヤ１２１に対する再確立処理に伴って送信されたものである場合、ＰＤＣＰレイヤ処理部１３０は、ハンドオーバ時又は再接続時におけるリオーダリング処理を実行する。具体的には、ＰＤＣＰレイヤ処理部１３０は、受信ウィンドウを用いて再確立処理により受信したデータパケットとスプリットベアラ削除後に新規に送信されたデータパケットとをリオーダリングし、再確立処理により受信したデータパケットに欠落があった場合には受信ウィンドウを更新せず、新規に送信されたデータパケットに欠落があった場合には受信ウィンドウを更新する。ＰＤＣＰレイヤ処理部１３０は、受信ウィンドウの範囲内のデータパケットを受信した場合、受信したデータパケットのシーケンス番号によって受信ウィンドウを更新し、受信ウィンドウの範囲外のデータパケットを受信した場合、当該データパケットを破棄する。このようにして、マスタ基地局２００Ａから受信待ちのＲＬＣ  ＳＤＵが破棄されたとしても、ＰＤＣＰレイヤ処理部１３０は、リオーダリングタイマを利用して、ｓ−ＲＬＣレイヤ１２２に対する再確立処理により受信したＲＬＣ  ＳＤＵを上位レイヤに送出することが可能になる。
【００３６】
図１１は、本発明の第１実施例によるＲＬＣレイヤ処理部におけるスプリットベアラ削除処理を示すフロー図である。
【００３７】
図１１に示されるように、ステップＳ１０１において、マスタ基地局２００Ａは、ユーザ装置１００に対してスプリットベアラを設定する。当該スプリットベアラの設定指示は、例えば、ＲＲＣシグナリングにより通知されてもよい。
【００３８】
ステップＳ１０２において、マスタ基地局２００Ａは、ユーザ装置１００に対してスプリットベアラの削除を指示する。当該スプリットベアラの削除指示は、例えば、ＲＲＣシグナリングにより通知されてもよい。
【００３９】
ステップＳ１０３において、ＲＬＣレイヤ処理部１２０は、ｓ−ＲＬＣレイヤ１２２に対して再確立処理（ｒｅ−ｅｓｔａｂｌｉｓｈｍｅｎｔ）を実行する。具体的には、ＲＬＣレイヤ処理部１２０は、ｓ−ＲＬＣレイヤ１２２においてリオーダリング待ちのＲＬＣ  ＰＤＵから可能な限りＲＬＣ  ＳＤＵを構成し、ＰＤＣＰレイヤ処理部１３０に送出する。
【００４０】
ステップＳ１０４において、ＲＬＣレイヤ処理部１２０は、ｓ−ＲＬＣレイヤ１２２を解放する。
【００４１】
図１２は、本発明の第１実施例によるＰＤＣＰレイヤ処理部におけるスプリットベアラ削除処理を示すフロー図である。
【００４２】
図１２に示されるように、ステップＳ２０１において、マスタ基地局２００Ａは、ユーザ装置１００に対してスプリットベアラを設定する。当該スプリットベアラの設定指示は、例えば、ＲＲＣシグナリングにより通知されてもよい。
【００４３】
ステップＳ２０２において、マスタ基地局２００Ａからスプリットベアラ削除指示を受信すると、ＰＤＣＰレイヤ処理部１３０は、当該スプリットベアラ削除指示に応答して、ＲＬＣレイヤ処理部１２０からリオーダリング待ちのＲＬＣ  ＰＤＵから構成されたＲＬＣ  ＳＤＵを受信する。
【００４４】
ステップＳ２０３において、ＰＤＣＰレイヤ処理部１３０は、受信したＲＬＣ  ＳＤＵがｍ−ＲＬＣレイヤ１２１に対する再確立処理に伴って送信されたか判断する。受信したＲＬＣ  ＳＤＵがｍ−ＲＬＣレイヤ１２１に対する再確立処理に伴って送信されたものである場合（Ｓ２０３：Ｙｅｓ）、ステップＳ２０４において、ＰＤＣＰレイヤ処理部１３０は、ハンドオーバ時又は再接続時のリオーダリング処理を実行する。
【００４５】
他方、受信したＲＬＣ  ＳＤＵがｍ−ＲＬＣレイヤ１２１に対する再確立処理に伴って送信されたものでない場合（Ｓ２０３：Ｎｏ）、ステップＳ２０５において、ＰＤＣＰレイヤ処理部１３０は、スプリットベアラのリオーダリング処理を実行する。すなわち、ＰＤＣＰレイヤ処理部１３０は、受信したＲＬＣ  ＳＤＵのシーケンス番号が不連続である場合、リオーダリングタイマを起動する。当該リオーダリングタイマの満了までに欠落したＲＬＣ  ＳＤＵを受信できなかった場合、ＰＤＣＰレイヤ処理部１３０は、リオーダリング待ちのＲＬＣ  ＳＤＵ（ＰＤＣＰ  ＰＤＵ）からＰＤＣＰ  ＳＤＵを構成し、上位レイヤに送信する。
【００４６】
次に、図１３〜１４を参照して、本発明の第２実施例によるスプリットベアラのアップリンク送信方向変更処理を説明する。図５を参照して上述したように、従来のアップリンク送信方向変更処理では、ＰＤＣＰレイヤから変更前の送信方向に割り振られたデータパケット（図５の例では、ｓ−ＲＬＣレイヤ１２２のＲＬＣ  ＰＤＵ＃０〜＃３）は、アップリンク送信方向変更後も変更前の基地局２００（図５の例では、セカンダリ基地局２００Ｂ）に送信され、適切に受信されない可能性があった。本発明の第２実施例によると、スプリットベアラにおいてアップリンク送信方向の変更があった場合、ＲＬＣレイヤ処理部１２０とＰＤＣＰレイヤ処理部１３０とは、それぞれＲＬＣレイヤとＰＤＣＰレイヤとに対して再確立処理を実行する。これにより、ユーザ装置１００は、変更前の送信方向に割り振られたデータパケットの送信を停止し、未送信のデータパケットを変更後の基地局２００にイン・シーケンスに送信することが可能である。
【００４７】
第２実施例では、マスタ基地局２００Ａとセカンダリ基地局２００Ｂとに対して設定されているスプリットベアラにおいてアップリンクデータパケットの送信方向を変更する際、ＲＬＣレイヤ処理部１２０は、マスタ基地局２００Ａのためのｍ−ＲＬＣレイヤ１２１とセカンダリ基地局２００Ｂのためのｓ−ＲＬＣレイヤ１２２とに対して再確立処理を実行し、ＰＤＣＰレイヤ処理部１３０は、ＰＤＣＰレイヤ１３１に対して再確立処理を実行する。例えば、ＬＴＥ規格では、マスタ基地局２００Ａ又はセカンダリ基地局２００Ｂからアップリンク送信方向の変更指示を受信すると、ＲＬＣレイヤ処理部１２０は、ｍ−ＲＬＣレイヤ１２１とｓ−ＲＬＣレイヤ１２２とに対してｒｅ−ｅｓｔａｂｌｉｓｈｍｅｎｔを実行し、また、ＰＤＣＰレイヤ処理部１３０は、ＰＤＣＰレイヤ１３１に対してｒｅ−ｅｓｔａｂｌｉｓｈｍｅｎｔを実行する。
【００４８】
一実施例では、ＲＬＣレイヤ処理部１２０とＰＤＣＰレイヤ処理部１３０とは、送信方向の変更前に割り振られたアップリンクデータパケットの送信を停止し、送信停止されたアップリンクデータパケットを送信方向の変更先の基地局２００に送信するように、ＲＬＣレイヤ１２１，１２２とＰＤＣＰレイヤ１３１とに対して再確立処理を実行してもよい。この場合、例えば、ＲＬＣレイヤ処理部１２０とＰＤＣＰレイヤ処理部１３０とは、送信停止されたアップリンクデータパケットがシーケンス番号の順序通りに送信されるように、ＲＬＣレイヤ１２１，１２２とＰＤＣＰレイヤ１３１とに対して再確立処理を実行してもよい。これにより、未送信のアップリンクデータパケットを変更先の基地局２００にイン・シーケンスに送信することが可能になり、変更先の基地局２００に老番のシーケンス番号のデータパケットが先に到着することによって、若番のシーケンス番号のデータパケットが受信ウィンドウの範囲外として破棄される可能性を回避することができる。
【００４９】
一実施例では、送信方向の変更前の基地局２００から再確立処理の指示を受信すると、ＲＬＣレイヤ処理部１２０とＰＤＣＰ処理部１３０とは再確立処理を実行してもよい。すなわち、基地局２００によっては、送信方向の変更後もデータパケットの受信を継続し、再確立処理が不要であるケースもある。このため、変更前の送信方向の基地局２００が送信方向の変更後もデータパケットを受信することが可能である場合、基地局２００は、再確立処理の要否をユーザ装置１００に通知するようにしてもよい。例えば、変更前の送信方向の基地局２００が再確立処理を指示した場合に限って、ＲＬＣレイヤ処理部１２０とＰＤＣＰ処理部１３０とは再確立処理を実行し、その他のケースでは再確立処理を実行しないようにしてもよい。あるいは、変更前の送信方向の基地局２００が再確立処理をしないよう指示した場合に限って、ＲＬＣレイヤ処理部１２０とＰＤＣＰレイヤ処理部１３０とは再確立処理を実行せず、その他のケースでは再確立処理を実行するようにしてもよい。本実施例によると、不要な再確立処理を回避することが可能になる。
【００５０】
また、一実施例では、再確立処理は、アップリンク通信のみに対して実行されてもよい。スプリットベアラにおけるアップリンク送信方向を変更する際、ＲＬＣレイヤ処理部１２０とＰＤＣＰレイヤ処理部１３０とが、ＲＬＣレイヤ１２１，１２２とＰＤＣＰレイヤ１３１とについてアップリンク通信に関する部分のみに対して再確立処理を実行するようにしてもよい。ダウンリンク通信に関する部分に対しても再確立処理を実行すると、ダウンリンク通信が瞬断してしまい、これを回避するためである。具体的には、ユーザ装置１００は、ＲＬＣレイヤとＰＤＣＰレイヤとの送信側に関する部分のみに対して再確立処理を実行し、基地局２００は、ＲＬＣレイヤとＰＤＣＰレイヤとの受信側に関する部分のみに対して再確立処理を実行するようにしてもよい。
【００５１】
図１３は、本発明の第２実施例によるユーザ装置におけるアップリンク送信方向変更処理を示すフロー図である。
【００５２】
図１３に示されるように、ステップＳ３０１において、ユーザ装置１００は、アンカー基地局２００からの設定指示に応答して、非アンカー基地局２００に対してスプリットベアラを設定する。当該スプリットベアラの設定指示は、例えば、ＲＲＣシグナリングにより通知されてもよい。
【００５３】
ステップＳ３０２において、ユーザ装置１００は、アップリンク送信方向変更指示を受信する。当該アップリンク送信方向変更指示は、例えば、ＲＲＣシグナリングにより通知されてもよい。
【００５４】
ステップＳ３０３において、ＲＬＣレイヤ処理部１２０とＰＤＣＰレイヤ処理部１３０とは、それぞれｍ−ＲＬＣレイヤ１２１及びｓ−ＲＬＣレイヤ１２２とＰＤＣＰレイヤ１３１とに対して再確立処理を実行する。一実施例では、ＲＬＣレイヤ処理部１２０とＰＤＣＰレイヤ処理部１３０とは、送信方向の変更前に割り振られたアップリンクデータパケットの送信を停止し、送信停止されたアップリンクデータパケットをシーケンス番号の順序通りに送信方向の変更先の基地局２００に送信するように、ＲＬＣレイヤ１２１，１２２とＰＤＣＰレイヤ１３１とに対して再確立処理を実行してもよい。
【００５５】
図１４は、本発明の第２実施例による基地局の構成を示すブロック図である。本実施例による基地局は、ＰＤＣＰレイヤにおいてアップリンクリオーダリングタイマを有し、スプリットベアラのアップリンク送信方向を変更すると、当該アップリンクリオーダリングタイマを起動し、当該アップリンクリオーダリングタイマの起動中はシーケンス番号が連続するまで、ユーザ装置から受信したデータパケットの上位レイヤへの送出を保留する。
【００５６】
図１４に示されるように、基地局２００は、送受信部２１０、ＲＬＣレイヤ処理部２２０及びＰＤＣＰレイヤ処理部２３０を有する。
【００５７】
送受信部２１０は、デュアルコネクティビティによりユーザ装置１００と通信する。具体的には、送受信部２１０は、ユーザ装置１００との間でアップリンク／ダウンリンク制御チャネルやアップリンク／ダウンリンクデータチャネルなどの各種無線チャネルを送受信する。
【００５８】
ＲＬＣレイヤ処理部２２０は、ユーザ装置１００との通信のためのＲＬＣレイヤ２２１を有する。スプリットベアラによるアップリンク通信では、ＲＬＣレイヤ処理部２２０は、下位レイヤを介しユーザ装置１００から受信したＲＬＣ  ＰＤＵからＲＬＣ  ＳＤＵを構成し、基地局２００がスプリットベアラのアンカーノードである場合、構成したＲＬＣ  ＳＤＵを自局のＰＤＣＰレイヤ処理部２３０に送信する。他方、基地局２００がスプリットベアラのアンカーノードでない場合、構成したＲＬＣ  ＳＤＵをアンカー基地局２００のＰＤＣＰレイヤ処理部２３０に送信する。
【００５９】
ＰＤＣＰレイヤ処理部２３０は、ユーザ装置１００との通信のためのＰＤＣＰ２３１レイヤを有する。スプリットベアラによるアップリンク通信では、基地局２００がスプリットベアラのアンカーノードである場合、ＰＤＣＰレイヤ処理部２３０は、自局のＲＬＣレイヤ処理部２２０から受信したＲＬＣ  ＳＤＵと、スプリットベアラが設定された他の基地局２００のＲＬＣレイヤ処理部２２０から受信したＲＬＣ  ＳＤＵとをリオーダリングしてＰＤＣＰ  ＳＤＵを構成し、上位レイヤに送信する。
【００６０】
ＰＤＣＰレイヤ処理部２３０は、アップリンクリオーダリングタイマを有し、ユーザ装置１００に対して設定されているスプリットベアラにおいてアップリンクデータパケットの送信方向を変更する際、当該アップリンクリオーダリングタイマを起動し、ユーザ装置１００から受信したアップリンクデータパケットのシーケンス番号が不連続である場合、受信したアップリンクデータパケットの上位レイヤへの送信を保留する。
【００６１】
一実施例では、ＰＤＣＰレイヤ処理部２３０は、アップリンクリオーダリングタイマの満了までにユーザ装置１００から受信したアップリンクデータパケットのシーケンス番号が不連続なままである場合、受信したアップリンクデータパケットを上位レイヤに送信してもよい。すなわち、アップリンクリオーダリングタイマの満了までに欠落しているアップリンクデータパケットをユーザ装置１００から受信できなかった場合、ＰＤＣＰレイヤ処理部２３０は、当該欠落したアップリンクデータパケットの受信を断念し、リオーダリング待ちのアップリンクデータパケットを上位レイヤに送信する。
【００６２】
他方、欠落していたシーケンス番号に対応するアップリンクデータパケットが受信された場合、ＰＤＣＰレイヤ処理部２３０は、アップリンクリオーダリングタイマを停止し、受信したアップリンクデータパケットを上位レイヤに送信する。すなわち、アップリンクリオーダリングタイマの満了前に欠落しているアップリンクデータパケットをユーザ装置１００から受信した場合、ＰＤＣＰレイヤ処理部２３０は、受信したアップリンクデータパケットとリオーダリング待ちのアップリンクデータパケットとをリオーダリングし、上位レイヤに送信する。
【００６３】
上述したスプリットベアラで定義されたリオーダリングタイマとアップリンクリオーダリングタイマとの相違は、前者のリオーダリングタイマがリオーダリングに常時使用される一方、後者のアップリンクリオーダリングタイマはアップリンク送信方向の変更時という特定のタイミングのみに利用されるということである。すなわち、ＰＤＣＰレイヤ処理部２３０は、アップリンクリオーダリングタイマの満了後又は停止後に受信したアップリンクデータパケットに対して、シーケンス番号の欠落を検出すると、欠落したシーケンス番号に対応するアップリンクデータパケットがユーザ装置１００において破棄されたと判断する。
【００６４】
なお、上述した第１実施例と第２実施例とは別々に利用されてもよいし、あるいは、組み合わせて利用されてもよい。例えば、スプリットベアラが適用される場合、第１実施例がダウンリンク通信に適用され、第２実施例がアップリンク通信に適用されてもよい。すなわち、ダウンリンク通信において、セカンダリ基地局２００Ｂに対して設定されているスプリットベアラが削除される際、ユーザ装置１００は、セカンダリ基地局２００Ｂのためのｓ−ＲＬＣレイヤ１２２に対して再確立処理を実行し、再確立処理の実行後に当該スプリットベアラを解放する一方、アップリンク通信において、マスタ基地局２００Ａとセカンダリ基地局２００Ｂとに対して設定されているスプリットベアラにおいてアップリンクデータパケットの送信方向を変更する際、ユーザ装置１００は、マスタ基地局２００Ａのためのｍ−ＲＬＣレイヤ１２１及びセカンダリ基地局２００Ｂのためのｓ−ＲＬＣレイヤ１２２とＰＤＣＰレイヤ１３１とに対して再確立処理を実行してもよい。
【００６５】
以上、本発明の実施例について詳述したが、本発明は上述した特定の実施形態に限定されるものではなく、特許請求の範囲に記載された本発明の要旨の範囲内において、種々の変形・変更が可能である。
【符号の説明】
【００６６】
１０  無線通信システム
１００  ユーザ装置
１１０、２１０  送受信部
１２０、２２０  ＲＬＣレイヤ処理部
１３０、２３０  ＰＤＣＰレイヤ処理部
２００  基地局
【要約】      （修正有）【課題】スプリットベアラ削除時におけるダウンリンクパケットの重複送信によるスループットの低下を回避するための技術を提供する。【解決手段】デュアルコネクティビティによりマスタ基地局とセカンダリ基地局と同時に通信する送受信部と、マスタ基地局のためのＲＬＣレイヤとセカンダリ基地局のためのＲＬＣレイヤとを有するＲＬＣレイヤ処理部と、マスタ基地局のためのＲＬＣレイヤとセカンダリ基地局のためのＲＬＣレイヤとの間でデータを送受信するＰＤＣＰレイヤを有するＰＤＣＰレイヤ処理部とを有するユーザ装置であって、ＲＬＣレイヤ処理部は、セカンダリ基地局に対して設定されているスプリットベアラを削除する際、セカンダリ基地局のためのＲＬＣレイヤに対して再確立処理を実行し、再確立処理の実行後にスプリットベアラを解放する。【選択図】図７【図１】
0005852193.tif 000002
【図２】
0005852193.tif 000003
【図３】
0005852193.tif 000004
【図４】
0005852193.tif 000005
【図５】
0005852193.tif 000006
【図６】
0005852193.tif 000007
【図７】
0005852193.tif 000008
【図８】
0005852193.tif 000009
【図９】
0005852193.tif 000010
【図１０】
0005852193.tif 000011
【図１１】
0005852193.tif 000012
【図１２】
0005852193.tif 000013
【図１３】
0005852193.tif 000014
【図１４】
0005852193.tif 000015